(57)【要約】 【課題】  ホワイト輝度の減少なしに側面視認性を改善することができる表示装置及びその駆動装置を提供する。【解決手段】  スイッチング素子、該スイッチング素子に連結されたメインピクセル部、一端が前記スイッチング素子に連結されたカップリングキャパシタ、及び該カップリングキャパシタの他端に連結されたサブピクセル部を有する表示パネルと、低諧調から高諧調の階調範囲に対応するデータ電圧が前記表示パネルに印加されるように制御し、前記サブピクセル部の飽和電圧を前記高諧調のデータ電圧として設定され、前記表示パネルに印加されるように制御する電圧発生部とを有する。【選択図】図１
2006201764.tif 000002
【特許請求の範囲】
【請求項１】
スイッチング素子、該スイッチング素子に連結されたメインピクセル部、一端が前記スイッチング素子に連結されたカップリングキャパシタ、及び該カップリングキャパシタの他端に連結されたサブピクセル部を有する表示パネルと、
低諧調から高諧調の階調範囲に対応するデータ電圧が前記表示パネルに印加されるように制御し、前記サブピクセル部の飽和電圧を前記高諧調のデータ電圧として設定され、前記表示パネルに印加されるように制御する電圧発生部とを有することを特徴とする表示装置。
【請求項２】
前記諧調は、ブラックに対応する諧調とホワイトに対応する諧調との間に対応する範囲であることを特徴とする請求項１に記載の表示装置。
【請求項３】
前記メインピクセル部は、一端が前記スイッチング素子のドレインに連結され、他端が共通電極端に連結された液晶キャパシタを有することを特徴とする請求項１に記載の表示装置。
【請求項４】
前記サブピクセル部は、一端が前記カップリングキャパシタに連結され、他端が共通電極端に連結された液晶キャパシタを有することを特徴とする請求項１に記載の表示装置。
【請求項５】
前記表示パネルは、二枚の基板と、該基板の間に形成された液晶層を含み、該液晶層はノーマリブラックモード（ｎｏｒｍａｌｌｙ  ｂｌａｃｋ  ｍｏｄｅ）を有することを特徴とする請求項１に記載の表示装置。
【請求項６】
前記電圧発生部から提供されるガンマソース電圧（ｇａｍｍａ  ｓｏｕｒｃｅ  ｖｏｌｔａｇｅ）に基づいて前記サブピクセル部の飽和電圧である前記高諧調に相当するデータ電圧が設定されるように諧調電圧を出力するガンマ電圧生成部を更に有することを特徴とする請求項１に記載の表示装置。
【請求項７】
前記ガンマ電圧生成部は、諧調電圧に基づいて前記表示パネルに前記データ電圧を印加するデータ駆動部を更に含むことを特徴とする請求項６に記載の表示装置。
【請求項８】
前記ガンマ電圧生成部は、第１レジスタデータをガンマ基準電圧発生部に提供し、第２レジスタデータをガンマ電圧選択部に提供する制御レジスタを有し、前記ガンマ基準電圧発生部は前記ガンマソース電圧及びグラウンド電圧に連結されることを特徴とする請求項６に記載の表示装置。
【請求項９】
前記ガンマ電圧生成部は、ガンマ電圧出力部から前記ガンマ電圧の印加を受けるガンマ制御レジスタを更に有し、該ガンマ制御レジスタは、前記諧調電圧の傾きを制御するレジスタ値をガンマ基準電圧発生部に提供する傾き調整レジスタと、
前記諧調電圧の振幅を制御するレジスタ値を前記ガンマ基準電圧発生部に提供する振幅調整レジスタと、
前記諧調電圧を制御するレジスタ値をガンマ電圧選択部に提供する微細調整レジスタとを有することを特徴とする請求項６に記載の表示装置。
【請求項１０】
前記ガンマ基準電圧発生部は、前記ガンマソース電圧と前記グラウンド電圧との間に連結された複数の抵抗を含む抵抗ストリングを有することを特徴とする請求項８に記載の表示装置。
【請求項１１】
前記ガンマ電圧選択部は、前記ガンマ電圧出力部に印加されるガンマ基準電圧を選択する複数の選択器を有することを特徴とする請求項８に記載の表示装置。
【請求項１２】
前記各選択器は、所定個数のガンマ基準電圧の印加を受け、前記微細調整領域から提供されたレジスタデータに応答して前記ガンマ基準電圧より一つを選択することを特徴とする請求項１１に記載の表示装置。
【請求項１３】
互いに隣接するデータラインと互いに隣接するゲートラインによって定義される単位画素領域にメインピクセル部とサブピクセル部とを有する表示パネルと、
前記ゲートラインをアクティブにさせるゲート電圧を提供するゲート駆動部と、
前記データラインにデータ電圧を提供するデータ駆動部と、
低諧調から高諧調の階調範囲に対応するデータ電圧が前記表示パネルに印加されるように電圧を発生させ、前記サブピクセル部の飽和電圧を前記高諧調のデータ電圧として設定され、前記表示パネルに印加されるように電圧を発生、制御する電圧発生部とを有することを特徴とする表示装置。
【請求項１４】
前記電圧発生部から提供されるガンマソース電圧に基づいて前記サブピクセル部の飽和電圧である前記高諧調に相当するデータ電圧が設定されるように諧調電圧を出力するガンマ電圧生成部を更に有することを特徴とする請求項１３記載の表示装置。
【請求項１５】
前記ガンマ電圧生成部は、前記ガンマソース電圧に基づいて複数の諧調電圧を前記データ駆動部に提供することを特徴とする請求項１４記載の表示装置。
【請求項１６】
前記表示パネルは、前記ゲートラインとデータラインにそれぞれ連結されたスイッチング素子と、該スイッチング素子に連結されたカップリングキャパシタとを有し、
前記メインピクセル部は前記スイッチング素子に連結され、前記サブピクセル部は前記カップリングキャパシタを経由して前記スイッチング素子に電気的に連結されることを特徴とする請求項１３記載の表示装置。
【請求項１７】
互いに隣接するデータラインと互いに隣接するゲートラインによって定義される単位画素領域にメインピクセル部とサブピクセル部とを有する表示パネルを備える表示装置の駆動装置において、
前記ゲートラインをアクティブさせるゲート電圧を提供するデータ駆動部と、
前記データラインにデータ電圧を提供するデータ駆動部と、
低諧調から高諧調の階調範囲に対応するデータ電圧が前記表示パネルに印加されるように電圧を発生させ、前記サブピクセル部の飽和電圧を前記高諧調のデータ電圧として設定され、前記表示パネルに印加されるように電圧を発生、制御する電圧発生部とを有することを特徴とする表示装置の駆動装置。
【請求項１８】
前記電圧発生部から提供されるガンマソース電圧に基づいて前記サブピクセル部の飽和電圧である前記高諧調に相当するデータ電圧が設定されるように諧調電圧を出力するガンマ電圧生成部を更に有することを特徴とする請求項１７記載の表示装置の駆動装置。
【請求項１９】
前記ガンマ電圧生成部は、前記諧調電圧に基づいて前記表示パネルに前記データ電圧を印加するデータ駆動部を更に有することを特徴とする請求項１８記載の表示装置の駆動装置。
【発明の詳細な説明】
【技術分野】
【０００１】
本発明は、表示装置及びその駆動装置に係り、より詳細には、側面視認性を改善するための表示装置及びその駆動装置に関する。
【背景技術】
【０００２】
一般的に、液晶表示装置（ＬＣＤ）は、二枚の基板とその間に形成された液晶層で構成され、前記液晶層に電圧を印加して光の透過率を制御することで画像を表示する。一枚の基板は、各画素をスイッチングする薄膜トランジスタ（ＴＦＴ）が形成されたアレイ基板（またはＴＦＴ基板）であり、他の基板は共通電極が形成された対向基板（またはカラーフィルタ基板）である。
【０００３】
液晶表示装置は、液晶層の液晶分子によって遮蔽されない方向にのみ光が透過されて画像を具現するため、他の表示装置に比べて相対的に視野角が狭いという短所がある。これによって、向視野角を実現するために、垂直配向（ＶＡ）モードの液晶表示装置が開発された。
【０００４】
ＶＡモードの液晶表示装置は、対向する面に垂直配向処理された二枚の基板と、二枚の基板の間に密封されたネガティブタイプの誘電率異方性を有する液晶層で構成される。液晶層の液晶分子は垂直配向の性質を有する。
【０００５】
動作時、二枚の基板の間に電圧が印加されないときには、液晶は、基板の表面に対して大体垂直方向に整列されてブラックを表示し、所定の電圧が印加されるときには基板表面に大体水平方向に整列されてホワイトを表示し、ホワイト表示のための電圧より小さい電圧が印加されたときには基板表面に対して傾くように配向されてグレイを表示する。
【０００６】
一方、相対的に小さいサイズの中小型液晶表示装置では、狭視野角や諧調反転は解決すべき問題点である。これらを解決するために液晶表示装置はＰＶＡ（Ｐａｔｔｅｒｎｅｄ  Ｖｅｒｔｉｃａｌｌｙ  Ａｌｉｇｎｍｅｎｔ）構造を採用する。ＰＶＡモードの液晶表示装置は多重ドメインを定義するためにパターン化された共通電極層を有するカラーフィルタ基板とパターン化された画素電極層を有するアレイ基板を含む。
【０００７】
近年では、視野角の改善のために互いに異なるピクセル電圧を有する分離された二つのピクセル電極領域、即ち、メインピクセル部とサブピクセル部を一つのピクセル領域内に形成している。このように、一つのピクセルの領域にメインピクセル部とサブピクセル部とが形成されていることをスーパーＰＶＡ（ＳＰＶＡ）モードと称する。
【０００８】
スーパーＰＶＡモードは、単位ピクセルに形成されたメインピクセル部にはＴＦＴを経由して直接的にデータ電圧を印加し、単位ピクセルに形成されたサブピクセル部にはＴＦＴとカップリングキャパシタを経由して間接的にデータ電圧を印加して電圧差を誘導する方法である。
【０００９】
このような方法で駆動すると、サブピクセル部とメインピクセル部は互いに異なる液晶の分布特性を有するようになって、側面視認性の特性は改善される。
しかし、サブピクセル部は、メインピクセル部より低い電圧によって駆動させるので、メインピクセル部より透過率が低下して液晶表示パネル全体の透過率を低下させる。したがって、側面視認性は改善することがあるが、透過率低下によってホワイト輝度が減少するという問題点がある。
【発明の開示】
【発明が解決しようとする課題】
【００１０】
そこで、本発明は上記従来の表示装置における問題点に鑑みてなされたものであって、本発明の目的は、ホワイト輝度の減少なしに側面視認性を改善することができる表示装置及びその駆動装置を提供することにある。
【課題を解決するための手段】
【００１１】
上記目的を達成するためになされた本発明による表示装置は、スイッチング素子、該スイッチング素子に連結されたメインピクセル部、一端が前記スイッチング素子に連結されたカップリングキャパシタ、及び該カップリングキャパシタの他端に連結されたサブピクセル部を有する表示パネルと、低諧調から高諧調の階調範囲に対応するデータ電圧が前記表示パネルに印加されるように制御し、前記サブピクセル部の飽和電圧を前記高諧調のデータ電圧として設定され、前記表示パネルに印加されるように制御する電圧発生部とを有することを特徴とする。
【００１２】
また、上記目的を達成するためになされた本発明による表示装置は、互いに隣接するデータラインと互いに隣接するゲートラインによって定義される単位画素領域にメインピクセル部とサブピクセル部とを有する表示パネルと、前記ゲートラインをアクティブにさせるゲート電圧を提供するゲート駆動部と、前記データラインにデータ電圧を提供するデータ駆動部と、低諧調から高諧調の階調範囲に対応するデータ電圧が前記表示パネルに印加されるように電圧を発生させ、前記サブピクセル部の飽和電圧を前記高諧調のデータ電圧として設定され、前記表示パネルに印加されるように電圧を発生、制御する電圧発生部とを有することを特徴とする。
【００１３】
上記目的を達成するためになされた本発明による表示装置の駆動装置は、互いに隣接するデータラインと互いに隣接するゲートラインによって定義される単位画素領域にメインピクセル部とサブピクセル部とを有する表示パネルを備える表示装置の駆動装置において、前記ゲートラインをアクティブさせるゲート電圧を提供するデータ駆動部と、前記データラインにデータ電圧を提供するデータ駆動部と、低諧調から高諧調の階調範囲に対応するデータ電圧が前記表示パネルに印加されるように電圧を発生させ、前記サブピクセル部の飽和電圧を前記高諧調のデータ電圧として設定され、前記表示パネルに印加されるように電圧を発生、制御する電圧発生部とを有することを特徴とする。
【発明の効果】
【００１４】
本発明に係る表示装置及びその駆動装置によれば、サブピクセル部がメインピクセル部に比べて相対的に低い電圧によって駆動されるので、ホワイト駆動の時、サブピクセル部はメインピクセル部に比べて輝度が減少する点を考慮して、サブピクセル部が飽和される領域をホワイト電圧として設定して駆動することで、ホワイト諧調では、メインピクセル部とサブピクセル部と有意差を減少させることで輝度を上昇させることができ、ホワイト輝度の減少なしに側面視認性を改善することができるという効果がある。
【発明を実施するための最良の形態】
【００１５】
次に、本発明に係る表示装置及びその駆動装置を実施するための最良の形態の具体例を図面を参照しながら説明する。
【実施例】
【００１６】
図１は、本発明の実施例による液晶表示装置を説明するためのブロック図である。
図１を参照すると、本発明の実施例による液晶表示装置は、液晶表示パネル１００、タイミング制御部２００、電圧発生部３００、ゲート駆動部４００、ガンマ電圧生成部５００、及びデータ駆動部６００を含む。
【００１７】
液晶表示パネル１００は、ゲートライン（ＧＬ）、データライン（ＤＬ）、スイッチング素子（ＴＦＴ）、メインピクセル部（ＭＰ）、カップリングキャパシタ（ＣＰ）、及びサブピクセル部（ＳＰ）を含む。
具体的に、ゲートライン（ＧＬ）は、スイッチング素子（ＴＦＴ）をアクティブさせるゲート信号をスイッチング素子（ＴＦＴ）に伝達し、データライン（ＤＬ）は、スイッチング素子（ＴＦＴ）にデータ信号を伝達する。図１で、ゲートライン（ＧＬ）及びデータライン（ＤＬ）は基本的に互いに垂直であるが、そうでなくてもよい。
【００１８】
メインピクセル部（ＭＰ）は、一端がスイッチング素子（ＴＦＴ）に電気的に連結され、他端が共通電圧（ＶＣＯＭ）に電気的に連結されたメイン液晶キャパシタ（ＣＬＣ１）及び一端がスイッチング素子（ＴＦＴ）に電気的に連結され、他端がストレージ電圧（ＶＳＴ）に電気的に連結されたメインストレージキャパシタ（ＣＳＴ１）を含む。
【００１９】
カップリングキャパシタ（ＣＰ）は、一端がスイッチング素子（ＴＦＴ）に電気的に連結され、他端がサブピクセル部（ＳＰ）に電気的に連結される。
【００２０】
サブピクセル部（ＳＰ）は、一端がカップリングキャパシタ（ＣＰ）に電気的に連結され、他端が共通電圧（ＶＣＯＭ）に電気的に連結されたサブ液晶キャパシタ（ＣＬＣ２）及び一端がカップリングキャパシタ（ＣＰ）に電気的に連結され、他端がストレージ電圧（ＶＳＴ）に電気的に連結されたサブストレージキャパシタ（ＣＳＴ２）を含む。
【００２１】
タイミング制御部２００は、外部のグラフィックコントローラ（図示せず）のようなホストから提供される原始画像信号（ＤＡＴＡ１）と第１タイミング信号（ＳＹＮＣ）の提供を受け、共通電圧（ＶＣＯＭ）の周期と振幅を定義する第２タイミング信号２０１を電圧発生部３００に出力し、画像データ信号（ＤＡＴＡ２）と第３タイミング信号（ＴＳ１）をデータ駆動部６００に出力し、第４タイミング信号（ＴＳ２）をゲート駆動部４００に出力する。ここで、第１タイミング信号（ＳＹＮＣ）は、水平同期信号（Ｈｓｙｎｃ）、垂直同期信号（Ｖｓｙｎｃ）、データイネーブル信号（ＤＥ）、及びメインクロック（ＭＣＬＫ）を含む。第３タイミング信号（ＴＳ１）は、ロード信号（ＬＯＡＤ）及び水平開始信号（ＳＴＨ）を含む。第４タイミング信号（ＴＳ２）はゲートクロック（Ｇａｔｅ  Ｃｌｋ）、及び垂直開始信号（ＳＴＶ）を含む。
【００２２】
電圧発生部３００は、第２タイミング信号２０１の提供を受け、ゲートオン／オフ電圧（ＶＯＮ／ＶＯＦＦ）をゲート駆動部４００に提供する。
電圧発生部３００は、ゲート信号（Ｇ１，Ｇ２，・・・，Ｇｑ，・・・，Ｇｎ−１，Ｇｎ）に一定周期に同調して共通電圧（ＶＣＯＭ）を液晶表示パネル１００に出力する。
【００２３】
電圧発生部３００は、画像表示のために低諧調（例えば、ブラック）から高諧調（例えば、ホワイト）の範囲に対応するデータ電圧が液晶表示パネル１００に印加されるようにガンマ電圧生成部５００にガンマソース電圧（ＧＶＤＤ）を供給する。特に、電圧発生部３００は、サブピクセル部（ＳＰ）の飽和に相当する所定の電圧範囲である高諧調のデータ電圧が設定されるようにガンマソース電圧（ＧＶＤＤ）をガンマ電圧生成部５００に印加する。
【００２４】
ゲート駆動部４００は、スキャン駆動用信号（ゲートクロック、垂直開始信号）（Ｇａｔｅ  Ｃｌｋ，ＳＴＶ）と電圧発生部３００から提供されるゲートオン／オフ電圧（ＶＯＮ，ＶＯＦＦ）に基づいてゲートラインを順次アクティブさせるゲート信号（Ｇ１，Ｇ２，・・・，Ｇｑ，・・・Ｇｎ−１，Ｇｎ）を液晶表示パネル１００に出力する。
【００２５】
ガンマ電圧生成部５００は、電圧発生部３００から提供されるガンマソース電圧（ＧＶＤＤ）を用いて複数の諧調電圧（Ｖ０，Ｖ１，・・・，Ｖ６３）をデータ駆動部６００に提供する。ガンマソース電圧（ＧＶＤＤ）は、サブピクセル部（ＳＰ）の飽和電圧に当たる高諧調のデータ電圧に相当する電圧である。
【００２６】
データ駆動部６００は、画像データ信号（ＤＡＴＡ２）、データ駆動用信号（ロード信号、水平開始信号）（ＬＯＡＤ、ＳＴＨ）である第３タイミング信号（ＴＳ１）、及び諧調電圧（Ｖ０，Ｖ０１，・・・，Ｖ６３）に基づいて複数のデータ電圧（Ｄ１，Ｄ２，・・・，Ｄｐ，・・・，Ｄｍ−１，Ｄｍ）を生成し、生成されたデータ電圧（Ｄ１，Ｄ２，・・・，Ｄｐ，・・・，Ｄｍ−１，Ｄｍ）を液晶表示パネル１００のデータラインにそれぞれ出力する。
【００２７】
任意のピクセルに共通電圧（ＶＣＯＭ）が印加されると、データ電圧（Ｄ１，Ｄ２，・・・，Ｄｐ，・・・，Ｄｍ−１，Ｄｍ）は共通電圧（ＶＣＯＭ）の極性に対して反転する極性を有することが望ましい。例えば、共通電圧（ＶＣＯＭ）の極性がローレベルであれば、データ電圧（Ｄ１，Ｄ２，・・・，Ｄｐ，・・・，Ｄｍ−１，Ｄｍ）の極性は共通電圧（ＶＣＯＭ）に比べて相対的にハイレベルである。また、共通電圧（ＶＣＯＭ）の極性がハイレベルであれば、データ電圧（Ｄ１，Ｄ２，・・・，Ｄｐ，・・・，Ｄｍ−１，Ｄｍ）の極性は共通電圧（ＶＣＯＭ）に比べて相対的にローレベルである。
【００２８】
上述した本発明の実施例によれば、サブピクセル部（ＳＰ）の飽和電圧と同等であるホワイト画像のデータ電圧が設定されるようにガンマ電圧を出力するガンマソース電圧を変更することで、ホワイト輝度の減少なしに側面視認性を改善することができる。特に、ＳＰＶＡモードの液晶表示装置の短所であるホワイト輝度の減少なしに側面視認性を改善することができる。
【００２９】
図２は、図１に示した液晶表示パネルを説明する平面図である。特に、透過型アレイ基板を有する液晶表示パネルの一部を示す。
図２を参照すると、液晶表示パネルは、アレイ基板、液晶層、及びアレイ基板との合体を通じてその間に液晶層を介在させるカラーフィルタ基板を含む。
【００３０】
アレイ基板は、絶縁基板上に横方向に延びたゲート配線１１０と、ゲート配線１１０から延長してなるゲート電極１１２と、ゲート配線１１０から離隔され、かつ、単位ピクセル領域内でゲートライン１１０と平行するように形成された第１下部ストレージパターン（ＳＴＬ１）及び第２下部ストレージパターン（ＳＴＬ２）と、単位ピクセル領域の横方向に２分割する第２カップリングパターン（ＣＰＬ）を含む。
【００３１】
アレイ基板は、窒化ケイ素（ＳｉＮｘ）などの材質からなり、ゲート配線１１０及びゲート電極１１２をカバーするゲート絶縁層と、ゲート電極１１２をカバーするアクティブ層１１４を含む。アクティブ層１１４は、ａ−Ｓｉのような半導体層と、半導体層上に形成されたｎ＋ａ−Ｓｉのような半導体不純物層を含む。
【００３２】
アレイ基板は、縦方向に延びたソース配線１２０と、ソース配線１２０から延びたソース電極１２２と、ソース電極１２２と一定間隔に離隔されたドレイン電極１２３を含む。ここで、ゲート電極１１２、半導体層１１４、半導体不順物層（図示せず）、ソース電極１２２、及びドレイン電極１２３は薄膜トランジスタ（ＴＦＴ）を定義する。
【００３３】
アレイ基板は、また、ドレイン電極１２３から延びた第１上部ストレージパターン１２４、単位ピクセル領域の左側に形成されドレイン電極１２３から延びた第１延長パターン１２５、第１延長パターン１２５に連結された第２カップリングパターン１２６と、単位ピクセル領域の左側に形成され第１延長パターン１２５に連結された第２延長パターン１２７、及び第２延長パターン１２７に連結された第２上部ストレージパターン１２８を含む。
【００３４】
ゲート配線１１０やソース配線１２０は、単一層または二重層の構造で形成することができる。単一層として形成する場合には、アルミニウム（Ａｌ）やアルミニウムネオジウム（Ａｌ−Ｎｄ）合金で形成してもよく、二重層として形成する場合にはクロム（Ｃｒ）、モリブデン（Ｍｏ）またはモリブデン合金膜などの物理／化学的特性が優秀な物質を下部層として形成し、アルミニウム（Ａｌ）またはアルミニウム合金などの比抵抗が低い物質を上部層として形成する。
【００３５】
アレイ基板は、薄膜トランジスタ（ＴＦＴ）をカバーしながらドレイン電極１２６の一部を露出させるように順次積層されたパッシベーション層と有機絶縁層とを含む。
パッシベーション層と有機絶縁層は、ソース電極１２２とドレイン電極１２３との間のアクティブ層１１４をカバーして保護する役割と、薄膜トランジスタ（ＴＦＴ）とピクセル電極部１４０とを絶縁させる役割を果たし、薄膜トランジスタ（ＴＦＴ）のドレイン電極１２３を部分的に露出する第１コンタクトホール（ＣＮＴＳＴ１）、第１下部ストレージパターン（ＳＴＬ１）を部分的に露出する第３コンタクトホール（ＣＮＴＳＴ３）、第２カップリングパターン１２６を部分的に露出する中央コンタクトホール（ＣＮＴＣＰ）、及び第２下部ストレージパターン（ＳＴＬ２）を部分的に露出する第４コンタクトホール（ＣＮＴＳＴ４）を含む。
【００３６】
有機絶縁層の高さ調節を通じて液晶層の厚さ（液晶層のセルギャップ）を調節することもできる。勿論、パッシベーション層を省略することもできる。
アレイ基板は、薄膜トランジスタ（ＴＦＴ）のドレイン電極１２３にコンタクトホール（ＣＮＴＳＴ１，ＣＮＴＳＴ３，ＣＮＴＣＰ，及びＣＮＴＳＴ４）を通じて電気的に連結されながら開口したパターンの形状を有するピクセル電極部１４０を含む。
【００３７】
具体的に、ピクセル電極部１４０は、中央コンタクトホール（ＣＮＴＣＰ）を通じて第２カップリングパターン１２６とコンタクトされるメイン電極１４４、第３コンタクトホール（ＣＮＴＳＴ３）を通じて第１下部ストレージパターン（ＳＴＬ１）とコンタクトされる第１サブ電極１４２、第１サブ電極１４２と分離しながら第４コンタクトホール（ＣＮＴＳＴ４）を通じて第２下部ストレージパターンとコンタクトされる第２サブ電極１４６を含む。
【００３８】
メイン電極１４４には、単位ピクセル領域を横方向を中心軸として鏡対称される二つの「Ｙ」字形状の開口パターンが形成される。鏡対称される「Ｙ」字形状の分岐部は９０°の角度を有する。第１サブ電極１４２には「Ｙ」字形状の分岐部と平行する二つの開口パターンが形成される。
第２サブ電極１４６には、「Ｙ」字形状の分岐部と平行しながら第１サブ電極１４２に形成された開口パターンと横方向の中心軸を基準として鏡対称される二つの開口パターンが形成される。メイン電極１４４及び第１サブ電極１４２及び第２サブ電極１４６に複数の開口パターンを形成することは歪曲した電界を形成するためであり、ゆえに、アレイ基板とカラーフィルタ基板間の合体を通じて介在する液晶層のドメインを複数に分割しマルチドメインを形成する。
【００３９】
メイン電極１４４と、第１サブ電極１４２及び第２サブ電極１４６は、透明な導電性物質で形成することができる。このような透明な導電性物質の例としては、インジウムスズ酸化物（ＩＴＯ）、インジウム亜鉛酸化物（ＩＺＯ）、酸化亜鉛（ＺＯ）などを挙げることができる。
【００４０】
一方、カラーフィルタ基板は、単位ピクセル領域に対応して透明基板上に形成された色画素層と、色画素層上に形成されながら、アレイ基板に形成されたピクセル電極の開口パターンをカバーしながら一部領域が開口された共通電極部を含み、アレイ基板との合体を通じて液晶層を介在させる。液晶層内の液晶分子は垂直配向（ＶＡ）モードで配列される。
【００４１】
平面上から観察するとき、メイン電極１４４と、第１サブ電極１４２及び第２サブ電極１４６それぞれによって互いに異なる複数のドメインが形成される。したがって、アレイ基板やカラーフィルタ基板に形成され、液晶を配向する配向膜の表面を一定方向にラビングする工程を省略してもよく、配向膜を形成しなくてもよい。
【００４２】
図３は、図１に示したガンマ電圧生成部を概略的に説明するためのブロック図である。
図３を参照すると、ガンマ電圧生成部５００は、ガンマ調整レジスタ部５１０、ガンマ基準電圧発生部５２０、ガンマ電圧選択部５３０、及びガンマ電圧出力部５４０を含み、サブピクセル部の飽和電圧として設定されたホワイト画像の諧調電圧（ホワイト電圧）をデータ駆動部６００に出力する。
【００４３】
ガンマ調整レジスタ部５１０は、ガンマ電圧選択のための第１レジスタ値５１１をガンマ基準電圧発生部５２０に提供し、ガンマ電圧選択のための第２レジスタ値５１３をガンマ電圧選択部５３０に出力する。
【００４４】
ガンマ基準電圧発生部５２０は、一端がガンマソース電圧（ＧＶＤＤ）に電気的に連結され、他端が接地電源電圧（ＶＳＳ）に電気的に連結され、第１レジスタ値５１１に応答して固定原始ガンマ電圧（ＶＢＦ）をガンマ電圧出力部５４０に出力し、ｍ個の可変原始ガンマ電圧（ＶＢ１，ＶＢ２，・・・，ＶＢｍ）をガンマ電圧選択部５３０に出力する。
【００４５】
ガンマ電圧選択部５３０は、第２レジスタ値５１３に応答してｍ個の可変原始ガンマ電圧（ＶＢ１，ＶＢ２，・・・，ＶＢｍ）よりｎ個を選択し、選択されたｎ個のガンマ電圧（ＶＲＳ１，ＶＲＳ２，・・・，ＶＲＳｎ）をガンマ電圧出力部５４０に出力する。
【００４６】
ガンマ電圧出力部５４０は、ガンマ基準電圧発生部５２０で提供される固定原始ガンマ電圧（ＶＢＦ）とガンマ電圧選択部５３０で提供される、選択されたｎ個のガンマ電圧（ＶＲＳ１，ＶＲＳ２，・・・，ＶＲＳｎ）を基にして互いに異なるレベルの複数のガンマ電圧（ＶＨ，ＶＭ，ＶＬ）を出力する。
【００４７】
図４は、図３に示したガンマ電圧生成部の一例を説明するためのブロック図である。
図４を参照すると、ガンマ電圧生成部５００は、ガンマ調整レジスタ部５１０、ガンマ基準電圧発生部５２０、ガンマ電圧選択部５３０、及びガンマ電圧出力部５４０を含む。
【００４８】
ガンマ調整レジスタ部５１０は、傾き調整レジスタ５１２、振幅調整レジスタ５１４、及び微細調整レジスタ５１６を含み、ガンマ電圧選択のためのレジスタ値をガンマ基準電圧発生部５２０、及びガンマ電圧選択部５２０に出力する。
【００４９】
傾き調整レジスタ５１２、振幅調整レジスタ５１４、及び微細調整レジスタ５１６で出力されるレジスタ値によってガンマ電圧出力部５４０を通じて出力される複数のガンマ電圧は互いに異なるガンマ曲線を定義する。
【００５０】
即ち、傾き調整レジスタ５１２は、諧調数に対する諧調電圧の傾き調整のためのレジスタ値をガンマ基準電圧発生部５２０に出力する。これによって、ガンマ電圧出力部５４０を通じて出力される複数のガンマ電圧は互いに異なる諧調電圧の変化に対応するガンマ曲線を定義する。
【００５１】
振幅調整レジスタ５１４は、諧調数に対する諧調電圧の振幅のためのレジスタ値をガンマ基準電圧発生部５２０に出力する。これによって、ガンマ電圧出力部５４０を通じて出力される複数のガンマ電圧は互いに異なる諧調電圧の変化に対応するガンマ曲線を定義する。
【００５２】
微細調整レジスタ５１６は、諧調数に対する諧調電圧の微細調整のためのレジスタ値をガンマ電圧選択部５３０に出力する。これによって、ガンマ電圧出力部５４０を通じて出力される複数のガンマ電圧は互いに異なる諧調電圧の変化に対応するガンマ曲線を定義する。
【００５３】
ガンマ基準電圧発生部５２０は、ガンマソース電圧（ＧＶＤＤ）と接地電源電圧（ＶＧＳ）との間に直列で連結される複数の抵抗が直列連結された抵抗ストリングで構成される。
【００５４】
抵抗ストリングは、ガンマソース電圧（ＧＶＤＤ）と接地電源電圧（ＶＧＳ）に基づいて各抵抗の電圧の分配を通じてレベル別ガンマ基準電圧を生成してガンマ電圧選択部５３０及びガンマ電圧出力部５４０に出力する。
【００５５】
抵抗ストリングは、電圧分配のための固定抵抗と、複数の可変抵抗を含む。可変抵抗は、第１可変抵抗５２１ａ、第２可変抵抗５２１ｂ、第３可変抵抗５２１ｃ、及び第４可変抵抗５２１ｄである。図４では、四つの可変抵抗が具備されることを示したが、実施環境によって三つ以下の可変抵抗を具備することもでき、また、五つ以上の可変抵抗を具備することもできる。
【００５６】
ガンマ電圧選択部５３０は、六つの８−ｔｏ−１セレクタ５３１で構成される。それぞれの８−ｔｏ−１セレクタ５３１は、微細調整レジスタ５１６で提供される３ビットのレジスタ値に応答して八つのレベル別ガンマ基準電圧よりいずれか一つを選択し、選択された六つのガンマ基準電圧（ＶＲ１，ＶＲ２，・・・，ＶＲ６）をガンマ電圧出力部５４０に提供する。
【００５７】
ガンマ電圧出力部５４０は、ガンマ基準電圧発生部５２０で提供される原始ガンマ電圧（ＶＲ０，ＶＲ７）と、ガンマ電圧選択部５３０で提供される六つのガンマ基準電圧（ＶＲ１，ＶＲ２，・・・，ＶＲ６）を基にして複数のガンマ電圧（Ｖ０，Ｖ１，Ｖ２，・・・，Ｖ６２，Ｖ６３）を出力する。
【００５８】
次に、サブピクセル部の飽和電圧にホワイト電圧が設定されるようにガンマ電圧を出力するガンマ電源電圧を変更することで、計測されるデータに対するグラフを用いて説明する。
【００５９】
（データ電圧対輝度特性の比較）
図５は、本発明の実施例によるメインピクセル部とサブピクセル部それぞれに印加されるデータ電圧対輝度特性を示したグラフであり、図６は、本発明の比較例によるメインピクセル部とサブピクセル部それぞれに印加されるデータ電圧対輝度特性を示したグラフである。
【００６０】
図５及び図６を参照すると、単位画素に印加されるデータ電圧を次第に増加させると、２Ｖを経過する頃になると一定レベルの輝度が観測され、次第にデータ電圧のレベルを増加させることによって３Ｖでは１００［ｎｉｔｓ］の輝度が観測され、４Ｖで２５０［ｎｉｔｓ］の輝度が観測された。
【００６１】
なお、５Ｖで３００［ｎｉｔｓ］の輝度が観測され、６Ｖで３３０［ｎｉｔｓ］が観測され、７Ｖでは３４５［ｎｉｔｓ］の輝度が観測され、８Ｖでは飽和して３５０［ｎｉｔｓ］の輝度が観測された。
【００６２】
本発明の実施例では、相対的に低いレベルのサブピクセル部（ＳＰ）が飽和するデータ電圧を高諧調、即ち、ホワイト電圧に設定した。ここで、設定されたホワイト電圧は約６．６Ｖである。サブピクセル部（ＳＰ）のホワイト電圧の設定によって、相対的に高いレベルのメインピクセル部（ＭＰ）に印加されるデータ電圧のホワイト電圧は約８Ｖである。
【００６３】
図５を参照すると、メインピクセル部（ＭＰ）とサブピクセル部（ＳＰ）との間のホワイト電圧（または飽和電圧）の輝度差（△１）は２５［ｎｉｔｓ］である。
一方、図６を参照すると、本発明の比較例では相対的に高いレベルのメインピクセル部（ＭＰ）が飽和するデータ電圧を高諧調、即ち、ホワイト電圧として設定した。ここで、設定されたホワイト電圧は約６．３Ｖである。上述のサブピクセル部（ＳＰ）のホワイト電圧の設定によって、相対的に低いレベルのサブピクセル部（ＳＰ）に印加されるデータ電圧のホワイト電圧は約４．６Ｖである。
【００６４】
図６を参照すると、メインピクセル部（ＭＰ）とサブピクセル部（ＳＰ）との間のホワイト電圧（または飽和電圧）の輝度差（△２）は５０［ｎｉｔｓ］である。
図５及び図６に示したデータ電圧対輝度特性グラフそれぞれは、下記に述べる図７及び図８の諧調対輝度特性グラフへの変換が可能である。
【００６５】
（諧調対輝度特性の比較）
図７は、本発明の実施例によるメインピクセル部とサブピクセル部それぞれに対応する諧調対輝度特性を示したグラフであり、図８は、本発明の比較例によるメインピクセル部とサブピクセル部それぞれに対応する諧調対輝度の変化特性を示したグラフである。
【００６６】
図７を参照すると、本発明の実施例によるメインピクセル部（ＭＰ）に対応するフル諧調（ｆｕｌｌ−ｇｒａｙ）である２５６−階調の輝度は約３５０［ｎｉｔｓ］であり、サブピクセル部（ＳＰ）に対応するフル諧調である２５６−諧調の輝度は約３２５［ｎｉｔｓ］と計測された。メインピクセル部（ＭＰ）とサブピクセル部（ＳＰ）との間の輝度差（△１）は約２５［ｎｉｔｓ］程度で小さいことを確認することができる。
【００６７】
また、メインピクセル部（ＭＰ）とサブピクセル部（ＳＰ）は、同時に駆動されるので、メインピクセル部（ＭＰ）とサブピクセル部（ＳＰ）との間のフル諧調に対応する輝度を合算した平均値も約３２５［ｎｉｔｓ］と計測された。
【００６８】
一方、図８を参照すると、本発明の比較例によるメインピクセル部に対応するフル諧調である２５６−階調の輝度は約３４５［ｎｉｔｓ］であり、サブピクセル部（ＳＰ）に対応するフル諧調である２５６−諧調の輝度は約２９４［ｎｉｔｓ］と計測された。メインピクセル部（ＭＰ）とサブピクセル部（ＳＰ）との間の輝度差（△２）は約５１［ｎｉｔｓ］程度に大きいことを確認することができる。
【００６９】
また、メインピクセル部（ＭＰ）とサブピクセル部（ＳＰ）は、同時に駆動するので、メインピクセル部（ＭＰ）とサブピクセル部（ＳＰ）との間のフル諧調に対応する輝度を合算した平均値も約２９４［ｎｉｔｓ］と計測された。
【００７０】
以上、説明したように、一般的にメインピクセル部（ＭＰ）が飽和される領域をホワイト電圧として設定すると、メインピクセル部（ＭＰ）は正常的な輝度特性を保障することができたが、サブピクセル部（ＳＰ）は相対的に輝度特性が減少するという短所がある。
【００７１】
しかし、本発明の実施例で説明したように、サブピクセル部（ＳＰ）が飽和される領域をホワイト電圧として設定すると、メインピクセル部（ＭＰ）だけでなくサブピクセル部（ＳＰ）まで正常的な輝度特性を保障することができる。
【００７２】
尚、本発明は、上述の実施例に限られるものではない。本発明の技術的範囲から逸脱しない範囲内で多様に変更実施することが可能である。
【図面の簡単な説明】
【００７３】
【図１】本発明の実施例による液晶表示装置を説明するためのブロック図である。
【図２】図１に示した液晶表示パネルを説明する平面図である。
【図３】図１に示したガンマ電圧生成部を概略的に説明するためのブロック図である。
【図４】図３に示したガンマ電圧生成部の一例を説明するためのブロック図である。
【図５】本発明の実施例によるメインピクセル部とサブピクセル部のそれぞれに印加されるデータ電圧対輝度特性を示したグラフである。
【図６】本発明の比較例によるメインピクセル部とサブピクセル部のそれぞれに印加されるデータ電圧対輝度特性を示したグラフである。
【図７】本発明の実施例によるメインピクセル部とサブピクセル部のそれぞれに対応する諧調対輝度特性を示したグラフである。
【図８】本発明の比較例によるメインピクセル部とサブピクセル部のそれぞれに対応する諧調対輝度特性を示したグラフである。
【符号の説明】
【００７４】
１００      液晶表示パネル
２００      タイミング制御部
３００      電圧発生部
４００      ゲート駆動部
５００      ガンマ電圧生成部
５１０      ガンマ調整レジスタ部
５１２      傾き調整レジスタ
５１４      振幅調整レジスタ
５１６      微細調整レジスタ
５２０      ガンマ基準電圧発生部
５２１ａ、ｂ、ｃ、ｄ    第１〜第４可変抵抗
５３０      ガンマ電圧選択部
５３１      ８−ｔｏ−１セレクタ
５４０      ガンマ電圧出力部
６００      データ駆動部
ＭＰ        メインピクセル部
ＳＰ        サブピクセル部
ＣＰ        カップリングキャパシタ
【図１】
2006201764.tif 000003
【図２】
2006201764.tif 000004
【図３】
2006201764.tif 000005
【図４】
2006201764.tif 000006
【図５】
2006201764.tif 000007
【図６】
2006201764.tif 000008
【図７】
2006201764.tif 000009
【図８】
2006201764.tif 000010